(57)【特許請求の範囲】
【請求項１】
エレベータキーを備えるキーボードであって、
基板と、
複数のキーであって、各キーは、支承機構を介して前記基板に対して動くことができるように構成したキーキャップを備え、該キーは、前記基板に対して、上昇位置と押圧位置間で移動可能な複数のキーと、
前記基板上で第一の方向に移動可能に設けられたスライド板と、
前記基板上で前記第一の方向に直交する第二の方向に移動可能に設けられた複数の案内板とからなり、
前記第二の方向は、前記案内板の長手方向に沿う方向であり、
前記案内板は、前記キーを上昇位置にする第一の位置と前記キーを押圧位置にする第二の位置とを有し、
前記案内板は、複数のフックと第一の方向に設けられたトラックとからなり、前記案内板の互いに隣り合う案内板の間隔は第一の間隔であり、当該案内板は、前記第二の方向に第一の位置から第二の位置に動くように構成され、
前記トラックは、第一部分と、第二部分と、前記第一部分と第二部分とを連結する連結部分とからなり、前記第一部分と第二部分とは前記第一の方向に平行に形成され、
前記スライド板は、前記案内板のトラック内に入り込むように構成された複数の突起を備え、前記スライド板の互いに隣り合う突起の間隔は第二の間隔であり、前記第二の間隔は、前記第一の間隔に等しくなく、前記スライド板が第一の方向に動いた時、前記突起は、前記案内板を第一の位置から第二の位置に第二の方向に動かし、これにより、前記フックが前記支承機構に接触して前記キーキャップを上昇位置から押圧位置に順次押圧することを特徴とするキーボード。
【請求項２】
前記支承機構は、互いに回動する第一連結ブラケットと第二連結ブラケットとからなり、鋏状の支持機構を構成していることを特徴とする請求項１に記載のキーボード。
【請求項３】
前記キーは、前記キーキャップと基板間に設けられた弾性ドームを備えることを特徴とする請求項１に記載のキーボード。
【請求項４】
前記スライド板が前記第一の方向に移動する時、前記突起は、前記案内板を前記第二位置から前記第一位置に移動せしめ、前記フックが支承機構との係合を解除し、前記キーキャップは前記弾性ドームにより上昇することを特徴とする請求項３に記載のキーボード。
【請求項５】
前記第一部分と前記第二部分間の距離は第三間隔であり、この第三間隔は、前記案内板の前記第一の位置と前記第二の位置間の距離に等しいことを特徴とする請求項１に記載のキーボード。
【請求項６】
パソコン本体に回動可能に取り付けられたフラットディスプレイを備えるノート型パソコンのキーボードであって、
前記パソコン本体に固定された基板と、
複数のキーであって、各キーは、支承機構を介して前記基板に対して動くことができるように構成したキーキャップを備え、該キーは、前記基板に対して、上昇位置と押圧位置間で移動可能な複数のキーと、
前記基板上で第一の方向に移動可能に設けられたスライド板と、
前記基板上で前記第一の方向に直交する第二の方向に移動可能に設けられた複数の案内板とからなり、
前記第二の方向は、前記案内板の長手方向に沿う方向であり、
前記案内板は、前記キーを上昇位置にせしめる第一の位置と前記キーを押圧位置にせしめる第二の位置とを有し、
前記案内板は、複数のフックと第一の方向に設けられたトラックとからなり、前記案内板の互いに隣り合う案内板の間隔は第一の間隔であり、当該案内板は、前記第二の方向に第一の位置から第二の位置に動くように構成され、
前記トラックは、第一部分と、第二部分と、前記第一部分と第二部分とを連結する連結部分とからなり、前記第一部分と第二部分とは前記第一の方向に平行に形成され、
前記スライド板は、前記案内板のトラック内に入り込むように構成された複数の突起を備え、前記スライド板の互いに隣り合う突起の間隔は第二の間隔であり、前記第二の間隔は、前記第一の間隔に等しくなく、
前記スライド板が第一の方向に動いた時、前記突起は、前記案内板を第一の位置から第二の位置に第二の方向に動かし、これにより、前記フックが前記支承機構に接触して前記キーキャップを上昇位置から押圧位置に順次押圧することを特徴とするキーボード。
【請求項７】
前記支承機構は、互いに回動する第一連結ブラケットと第二連結ブラケットとからなり、鋏状の支持機構を構成していることを特徴とする請求項６に記載のキーボード。
【請求項８】
前記キーは、前記キーキャップと基板間に設けられた弾性ドームを備えることを特徴とする請求項６に記載のキーボード。
【請求項９】
操作手段が設けられ、当該操作手段は、接続ベルトと弾性体からなり、前記接続ベルトは前記スライド板の一端を前記フラットディスプレイに接続し、前記弾性体は前記スライド板のもう一端を前記本体に接続し、前記フラットディスプレイが開く時、前記スライド板は前記第一方向に移動し、前記突起は、前記案内板を前記第二位置から前記第一位置に移動させて、前記フックが鋏状支承機構を解除し、前記キーキャップが前記弾性ドームにより上昇することを特徴とする請求項８に記載のキーボード。
【請求項１０】
前記第一部分と前記第二部分間の距離は第三間隔であり、この第三間隔は、前記案内板の前記第一の位置と前記第二の位置間の距離に等しいことを特徴とする請求項６に記載のキーボード。
【発明の詳細な説明】
【０００１】
【発明の属する技術分野】
本発明は、エレベータキーを備えるキーボードに関するもので、特に、順次昇降するキーを備えるキーボードに関するものである。
【０００２】
【従来の技術】
図６は、公知のキーボードのエレベータキーの分解図である。図を簡略化するため、図６では一つのエレベータキーだけが示されている。
【０００３】
図６において、ノート型パソコンのキーボードのエレベータキーは、キーキャップ１１、支承部材１２、弾性シート１３、回路薄膜１４及びベース１５からなる。
【０００４】
ベース１５は金属板で、２つのシート台座１５１とフック１５２がパンチングにより形成されている。
【０００５】
回路薄膜１４は、ベース１５に取り付けられ、ベース１５の台座１５１とフック１５２に対応する複数のホール１４１とキーボードの回路とを備える。
【０００６】
弾性シート１３は、シート状の本体、弾性ドーム１３１、連結部分１３３、ホール１３２を備える。連結部分１３３は弾性ドーム１３１とシート状の本体とを連結している。更に、弾性ドーム１３１は内側にプランジャー（ｐｌｕｎｇｅｒ）（図示しない）を備え、回路薄膜１４と接触し、回路を通電させる。
【０００７】
案内板１６は、水平に移動できるように弾性シート１３に取り付けられる。案内板１６は、弾性シート１３の弾性ドーム１３１と、ベース１５上の台座１５１とフック１５２に対応するホール１６３と２つのＬ型フック１６１とを備える。
【０００８】
支承部材１２は、第一及び第二連結ブラケット１２１、１２２を備える。第二連結ブラケット１２２の軸部分１２２１は、第一連結ブラケット１２１のホール１２１１に挿入され、第一及び第二連結ブラケット１２１、１２２は、互いに蝶番で動く。この構造は、鋏状支承機構として知られている。更に、第一連結ブラケット１２１は軸棒（ｓｈａｆｔ  ｒｏｄ）１２１２、１２１３を備える。第二連結ブラケット１２２は端に、軸棒１２２２を備える。
【０００９】
図７（ａ）は、図６のエレベータキーのキーキャップ１１の背面図である。図７（ａ）において、キーキャップ１１は、フック１１１とその下表面の挟持部１１２とを備える。
【００１０】
図７（ｂ）は、キーキャップが取り外されたエレベータキーの概略図である。図６〜図７において、公知のエレベータキーを組み立てる際、ベース１５上に順に回路薄膜１４、弾性シート１３、案内板１６が置かれる。ベース１５の台座１５１とフック１５２は、回路薄膜１４のホール１４１、弾性シート１３のホール１３２、案内板１６のホール１６３をそれぞれ通り抜ける。キーキャップ１１は、支承部材１２を介してベース１５に取り付けられる。軸棒１２１２は台座１５１に挿入され、第一連結ブラケット１２１はベース１５に対し、それぞれ回転可能に取り付けられる。第二連結ブラケット１２２の軸１２２３はベース１５のフック１５２により引っ掛けられ、第二連結ブラケット１２２も、ベース１５に対し、回転可能である。フック１１１は、第一連結ブラケット１２１の軸棒１２１３を挟持し、挟持部分１１２は、第二連結ブラケット１２２の軸棒１２２２を挟持する。更に、図７（ｂ）において、Ｌ型フック１６１が第一連結ブラケット１２１の２つのアームを押圧する。
【００１１】
ユーザーが、キーキャプ１１を押すと、弾性ドーム１３１を圧迫する。その後、弾性ドーム１３１のプランジャーが、回路薄膜１４と接触し、その結果、導電が生じて、対応する信号が送られる。
【００１２】
図８（ａ）は、案内板が第一位置にある時のエレベータキーを示す図で、図８（ｂ）は、案内板１６が第二位置にある時のエレベータキーを示す図である。図８（ａ）において、案内板が第一位置にある時、フック１６１は第一連結ブラケット１２１の両アームに接触し、キーキャップ１１は本来の定位置にある。図８（ｂ）において、案内板１６が、第二位置にある時、フック１６１は第一連結ブラケット１２１の両アームを押圧する。鋏状支承機構はベース１５に接近し、キーキャップ１１は押圧位置まで降下する。更に、図８（ａ）で示されるように、案内板１６が元の位置に戻る時、フック１６１は第一連結ブラケット１２１、或いは鋏状支承機構を解除する。又、弾性ドーム（図示しない）が、キーキャップ１１を上昇させる。
【００１３】
ノート型パソコンに適用される公知のキーボードは、少なくとも１００のキーを備える。従って、案内板１６が移動して全てのキーキャップ１１を押圧する時、案内板１６と弾性シート１３間の摩擦力が大きく、このため、摩擦に耐えると同時に、全てのキーに接触する大きい水平力を提供する厚い案内板が必要であるが、厚い案内板は、ノート型パソコンの形状重量を増加させる。
【００１４】
【発明が解決しようとする課題】
本発明は、エレベータキーを備えるキーボードを提供することを目的とする。
【００１５】
キーボードのキーはいくつかの群に分割され、複数の案内板により順次に昇降し、要求される水平力と厚さと剛性とを減少させる。
【００１６】
本発明は、ノート型パソコンのエレベータキーを備えるキーボードを提供することをもう一つの目的とする。キーボードのキーは、複数の水平に移動する案内板により上昇し、ノート型パソコンのフラットディスプレイが開く時上昇し、フラットディスプレイが閉じられる時、押圧される。よって、ノート型パソコンは薄型形状になる。
【００１７】
【課題を解決するための手段】
本発明は上記した目的を達成するため、基本的には、以下に記載されたような技術構成を採用するものである。
【００１８】
即ち、本発明に係わるキーボードの第１態様は、
エレベータキーを備えるキーボードであって、
基板と、
複数のキーであって、各キーは、支承機構を介して前記基板に対して動くことができるように構成したキーキャップを備え、該キーは、前記基板に対して、上昇位置と押圧位置間で移動可能な複数のキーと、
前記基板上で第一の方向に移動可能に設けられたスライド板と、
前記基板上で前記第一の方向に直交する第二の方向に移動可能に設けられた複数の案内板とからなり、
前記第二の方向は、前記案内板の長手方向に沿う方向であり、
前記案内板は、前記キーを上昇位置にする第一の位置と前記キーを押圧位置にする第二の位置とを有し、
前記案内板は、複数のフックと第一の方向に設けられたトラックとからなり、前記案内板の互いに隣り合う案内板の間隔は第一の間隔であり、当該案内板は、前記第二の方向に第一の位置から第二の位置に動くように構成され、
前記トラックは、第一部分と、第二部分と、前記第一部分と第二部分とを連結する連結部分とからなり、前記第一部分と第二部分とは前記第一の方向に平行に形成され、
前記スライド板は、前記案内板のトラック内に入り込むように構成された複数の突起を備え、前記スライド板の互いに隣り合う突起の間隔は第二の間隔であり、前記第二の間隔は、前記第一の間隔に等しくなく、前記スライド板が第一の方向に動いた時、前記突起は、前記案内板を第一の位置から第二の位置に第二の方向に動かし、これにより、前記フックが前記支承機構に接触して前記キーキャップを上昇位置から押圧位置に順次押圧することを特徴とするものであり、
叉、第２態様は、
前記支承機構は、互いに回動する第一連結ブラケットと第二連結ブラケットとからなり、鋏状の支持機構を構成していることを特徴とするものであり、
叉、第３態様は、
前記キーは、前記キーキャップと基板間に設けられた弾性ドームを備えることを特徴とするものであり、
叉、第４態様は、
前記スライド板が前記第一の方向に移動する時、前記突起は、前記案内板を前記第二位置から前記第一位置に移動せしめ、前記フックが支承機構との係合を解除し、前記キーキャップは前記弾性ドームにより上昇することを特徴とするものであり、
叉、第５態様は、
前記第一部分と前記第二部分間の距離は第三間隔であり、この第三間隔は、前記案内板の前記第一の位置と前記第二の位置間の距離に等しいことを特徴とするものであり、
叉、第６態様は、
パソコン本体に回動可能に取り付けられたフラットディスプレイを備えるノート型パソコンのキーボードであって、
前記パソコン本体に固定された基板と、
複数のキーであって、各キーは、支承機構を介して前記基板に対して動くことができるように構成したキーキャップを備え、該キーは、前記基板に対して、上昇位置と押圧位置間で移動可能な複数のキーと、
前記基板上で第一の方向に移動可能に設けられたスライド板と、
前記基板上で前記第一の方向に直交する第二の方向に移動可能に設けられた複数の案内板とからなり、
前記第二の方向は、前記案内板の長手方向に沿う方向であり、
前記案内板は、前記キーを上昇位置にせしめる第一の位置と前記キーを押圧位置にせしめる第二の位置とを有し、
前記案内板は、複数のフックと第一の方向に設けられたトラックとからなり、前記案内板の互いに隣り合う案内板の間隔は第一の間隔であり、当該案内板は、前記第二の方向に第一の位置から第二の位置に動くように構成され、
前記トラックは、第一部分と、第二部分と、前記第一部分と第二部分とを連結する連結部分とからなり、前記第一部分と第二部分とは前記第一の方向に平行に形成され、
前記スライド板は、前記案内板のトラック内に入り込むように構成された複数の突起を備え、前記スライド板の互いに隣り合う突起の間隔は第二の間隔であり、前記第二の間隔は、前記第一の間隔に等しくなく、
前記スライド板が第一の方向に動いた時、前記突起は、前記案内板を第一の位置から第二の位置に第二の方向に動かし、これにより、前記フックが前記支承機構に接触して前記キーキャップを上昇位置から押圧位置に順次押圧することを特徴とするものであり、
叉、第７態様は、
操作手段が設けられ、当該操作手段は、接続ベルトと弾性体からなり、前記接続ベルトは前記スライド板の一端を前記フラットディスプレイに接続し、前記弾性体は前記スライド板のもう一端を前記本体に接続し、前記フラットディスプレイが開く時、前記スライド板は前記第一方向に移動し、前記突起は、前記案内板を前記第二の位置から前記第一の位置に移動させて、前記フックが鋏状支承機構を解除し、前記キーキャップが前記弾性ドームにより上昇することを特徴とするものである。
【００１９】
【発明の実施の形態】
上述した本発明の目的、特徴、及び長所を更に明瞭にするため、以下に、本発明の好ましい実施の形態を挙げ、図を参照にしながら更に詳しく説明する。
【００２０】
図１は、本発明によるエレベータキーを備えるキーボードの分解図である。図を簡潔にするため、図１ではキーボードの３×３アレイ及び一つのエレベータキー構造のみが示されている。
【００２１】
図１において、本発明のキーボードは、基板（ｆｏｕｎｄａｔｉｏｎ  ｓｈｅｅｔ）、スライド板（ｓｌｉｄｉｎｇ  ｍｅｍｂｅｒ）３０、複数の案内板（ｇｕｉｄｉｎｇ  ｓｈｅｅｔ）２０ａ〜２０ｃ、複数のキー（図では一つのキーだけが示される）から構成されている。
【００２２】
基板は、ベース（ｂａｓｅ  ｓｈｅｅｔ）１５、回路薄膜（ｃｉｒｃｕｉｔ  ｍｅｍｂｒａｎｅ  ａｓｓｅｍｂｌｙ）１４、弾性シート（ｅｌａｓｔｉｃ  ｓｈｅｅｔ）１３からなる。構造と組立方法は公知技術の通りである。この他、支承部材（ｃａｐ  ｓｕｐｐｏｒｔ）１２は、第一及び第二連結ブラケット（ｌｉｎｋｉｎｇ  ｂｒａｃｋｅｔ）１２１、１２２を備える。支承部材１２の第一連結ブラケット１２１は、案内板２０ａのフック２１により、押圧又は解除され、キーキャップ（ｋｅｙ  ｃａｐ）１１を押圧（ｄｅｐｒｅｓｓ）或いは上昇（ｅｌｅｖａｔｅ）させることが出来る。
【００２３】
本具体例において、公知技術の案内板全体が複数の案内板２０ａ〜２０ｃに分割される。それらは基板に平行に設置され、水平に動く時の摩擦力（ｆｒｉｃｔｉｏｎ  ｆｏｒｃｅ）とキーボードの厚さを減少させる細長い金属片である。図１を参照すると、案内板２０ａ〜２０ｃの中心線間の距離は、第一間隔ｄに等しい。案内板２０ａを例とすると、案内板２０ａは３組のＬ型フック２１、３つのホール２３、Ｚ型トラック２４ａを備える。ホール２３は、弾性シート１３上の弾性ドーム１３１とベース１５の台座１５１とフック１５２とを貫通させる。Ｌ型フック２１はパンチング（ｐｕｎｃｈｉｎｇ）により形成される。各フック２１は、水平部分２１１と垂直部分２１２とを備え、逆Ｌ字型フックを形成する。Ｌ型フック２１は、第一連結ブラケット１２１に接触してキーキャップ１１を押圧する。つまり、案内板２０ａが第一位置から第二位置へ動き始める時、フック２１の水平部分２１１は、第一連結ブラケット１２１のアームの押圧を開始する。案内板２０ａが第一位置にある時、フック２１は、支承部材１２に接触せず、案内板２０ａが第二位置にある時、フック２１は支承部材１２を押圧位置に押圧する。キーボードの総厚さは、キーキャップ１１が押圧位置に収容されるため減少する。
【００２４】
Ｚ型トラック２４ａは、第一部分２４１ａ、第二部分２４２ａ、連結部分２４３ａからなる。対角線の連結部分２４３ａは、第一部分２４１ａ、第二部分２４２ａを連結している。第一部分２４１ａと第二部分２４２ａは、第一方向に互いに平行であり、案内板２０ａの長手方向、即ち、第二方向に垂直である。Ｚ型トラック２４ａの第一部分２４１ａと第二部分２４２ａ間の距離は、第三間隔Ｐとして定義される。第三間隔Ｐは、案内板２０ａの第一位置と第二位置間の距離に等しい。
【００２５】
スライド板３０は、基板上に設けられた薄板又はプラスチック板である。スライド板３０は３つの突起３１ａ〜３１ｃを備える。近接する突起間の距離は、第二間隔Ｄとして定義され、第一間隔ｄより小さい。スライド板３０は、案内板２０ａ〜２０ｃの長手軸に垂直である第一方向に移動する。突起３１ａ〜３１ｃは、案内板２０ａ〜２０ｃのトラック２４ａ〜２４ｃで移動する。スライド板３０が第一方向に移動する時、突起３１ａ〜３１ｃは、第三間隔Ｐの距離により、案内板２０ａ〜２０ｃを順次、移動させる。よって、案内板２０ａ〜２０ｃのフック２１は、支承部材１２と接触し或いは解除され、キーボードのキーを上下に昇降させる。
【００２６】
本発明のキーボードのキーを格納する詳細は以下のようである。図を簡潔にするため、図２〜４では、弾性ドームが示されていない。
【００２７】
図２（ａ）及び図２（ｂ）は、スライド板が元の位置である際の、キーボードのである。図２（ａ）及び図２（ｂ）において、第二間隔は第一間隔よりも小さい。突起３１ｃがトラック２４ｃの第一部分２４１ｃの端にある時、突起３１ｂはトラック２４ｂの第一部分２４１ｂの中間に位置し、突起３１ａはトラック２４ａの第一部分２４１ａと連結部分２４３ａの交点に位置する。支承部材１２は押圧されず、上昇位置にある。
【００２８】
図３（ａ）及び図３（ｂ）は、スライド板が中間点である時の、キーボードの側面図と正面図である。図３（ａ）及び図３（ｂ）において、突起３１ａはトラック２４ａの第二部分２４２ａと連結部分２４３ａの交点に移動し、突起３１ａは第三間隔Ｐで、案内板２０ａを左方向に押す。案内板２０ａ上の支承部材１２が押圧され、キーキャップ１１ａは押圧位置になる。更に、第二間隔が第一間隔より小さいため、突起３１ｂはトラック２４ｂの連結部分２４３ｂの中間に移動し、突起３１ｃはトラック２４ｃの第一部分２４１ｃと連結部分２４３ｃの交点に移動する。突起３１ｂは案内板２０ｂを左方向に押し始め、案内板２０ｂ上の支承部材１２は若干押圧され、キーキャップ１１ｂは上昇位置と押圧位置の中間にある。キーキャップ１１ｃは、案内板２０ｃが動いていないので、元の位置にある。
【００２９】
図４（ａ）及び図４（ｂ）は、スライド板が終端にある時の、キーボードの側面図と正面図である。図４（ａ）及び図４（ｂ）において、第二間隔は第一間隔より小さいので、スライド板が移動している間、突起３１ｂ、３１ｃは、案内板２０ｂ、２０ｃを第三間隔Ｐで、左方向に押し、その結果、案内板２０ｂ、２０ｃ上の支承部材１２が押圧される。従って、全てのキーキャップ１１ａ〜１１ｃは押圧位置に押圧される。
【００３０】
スライド板３０が第二の位置から第一の位置に戻る時、案内板２０ａ〜２０ｃは順次、右方向に押され、キーキャップ１１ａ〜１１ｃの押圧は、解除される。
【００３１】
図４（ａ）及び図４（ｂ）において、キーキャップは初め、押圧位置にある。スライド板３０が元の位置に移動する時、図３（ａ）及び図３（ｂ）で示されるように、案内板２０ｃが右方向に移動し、案内板２０ｃのフックは支承部材１２を解除する。キーキャップ１１ｃは弾性ドームの弾力により上昇し、上昇位置に戻る。そして、図３（ａ）及び図３（ｂ）に示すように、キーキャップ１１ｂと１１ｃは、順次上昇する。
【００３２】
更に、案内板２０ａ〜２０ｃは弾性シート１３上に配置されているが、これに限定されるわけではなく、弾性シート１３と回路薄膜１４間、或いは、回路薄膜１４とベース１５間に配置されてもよい。案内板間の第一間隔ｄも第二間隔Ｄより小さくても良い。この場合、キーキャップが押され或いは上昇する順序は逆になる。
【００３３】
本発明のエレベータキーを備えるキーボードは、ノート型パソコンに適用される。図５（ａ）は、本発明のエレベータキーを備えるキーボードを備えるノート型パソコンを示す図である。図５（ｂ）は、図５（ａ）のアセンブリ部分の拡大図である。
【００３４】
図５（ａ）及び図５（ｂ）において、ノート型パソコン５００は、２つの蝶番（ｈｉｎｇｅｓ）５２１により、本体５２０に対して回動するフラットディスプレイ５１０を備えている。本発明のキーボード５３０は、ノート型パソコン５００の本体５２０に取り付けられている。キーボード５３０は、両端に、トラック５３１１が配列された複数の案内板５３１を備える。ノート型パソコン５００の本体５２０は、更に、キーボード５３０両側部に配置された２つのスライド板５４０を備える。スライド板５４０は複数の突起５４１を備え、案内板５３１のトラック５３１１内を左右にスライドして、キーボード５３０のキーが押圧位置に押圧されるか又は上昇位置に上昇する。更に、操作素子として、接続ベルト５２２と弾性部材５２３とを備える。接続ベルト５２２はスライド板５４０の一端とフラットディスプレイ５１０の蝶番５２１とを接続する。
【００３５】
図５（ａ）及び図５（ｂ）を参照すると、フラットディスプレイ５１０が閉じられる時、案内板５３１は左に移動し、キーボード５４０のキーは押圧位置に押圧される。フラットディスプレイ５１０が開かれる時、スライド板５４０は弾性部材５２３の弾性力により、フラットディスプレイ５１０と反対に移動する。案内板５３１は右に移動し、キーボードのキーは正常位置に戻る。
【００３６】
本発明の順次的なエレベータキーを備えるキーボードは、案内板の厚さ及び剛性のみならず、要求される水平力を減少させることが出来る。
【００３７】
更に、キーボードのキーは複数の水平に移動する案内板により上昇する。ノート型パソコンのフラットディスプレイが開かれる時、キーボードのキーは上昇し、ディスプレイが閉じられる時、押圧される。よって、エレベータキーを備えるノート型パソコンの厚さ及び重さが減少され、本発明のキーボードを備えるノート型パソコンは薄型形状になる。
【００３８】
本発明では好ましい実施例を前述の通り開示したが、これらは決して本発明に限定するものではなく、当該技術を熟知する者なら誰でも、本発明の精神と領域を脱しない範囲内で各種の変動や改変を加えることができ、従って、本発明の保護範囲は、特許請求の範囲で指定した内容を基準とする。
【００３９】
【発明の効果】
本発明は、上述のように構成したので、水平力と厚さと剛性を減少させることができる。
【図面の簡単な説明】
【図１】本発明のエレベータキーを備える３×３キーボードの分解図である。
【図２】図２（ａ）は、スライド板が元の位置であるときのキーボードの側面図、図２（ｂ）は、その正面図である。
【図３】図３（ａ）は、スライド板が中間位置であるときのキーボードの側面図、図３（ｂ）は、その正面図である。
【図４】図４（ａ）は、スライド板が終端位置であるときのキーボードの側面図、図４（ｂ）は、その正面図である。
【図５】図５（ａ）は、本発明のエレベータキーを備えるキーボードを備えるノート型パソコンを示す斜視図、図５（ｂ）は、キーボードのアセンブリ部分の拡大図である。
【図６】公知のキーボードのエレベータキーの分解図である。
【図７】図７（ａ）は、図６のエレベータキーのキーキャップの背面図、図７（ｂ）は、図６のキーキャップを除去したエレベータキーを示す部分斜視図である。
【図８】図８（ａ）は、案内板が第一位置であるときのエレベータキーの側面図、図８（ｂ）は、案内板が第二位置であるときのエレベータキーの側面図である。
【符号の説明】
１１、１１ａ〜１１ｃ…キーキャップ
２１、１６１、１１１…フック
１１２…挟持部
１２…支承
１２１…第一連結ブラケット
１２２…第二連結ブラケット
２３、１３２、１４１、１６３、１２１１…ホール
１２１２、１２２２、１２１３…軸棒
１２２１…軸
１３…弾性シート
１３１…弾性ドーム
１３３…連結部分
１４…回路薄膜
１５…ベース
１５１…シート台座
１５２…フック
１６、２０ａ〜２０ｃ、５３１…案内板
２１１…水平部分
２１２…垂直部分
２４ａ…Ｚ型トラック
２４１ａ…第一部分
２４２ａ…第二部分
２４３ａ…連結部分
３０、５４０…スライド板
３１ａ〜３１ｃ…突起
５００…ノート型パソコン
５１０…フラットディスプレイ
５２０…本体
５２１…蝶番
５２２…接続ベルト
５２３…弾性素子
５３０…キーボード
５３１１…トラック
５４１…突起
Ｐ…第三間隔
Ｄ…第二間隔
ｄ…第一間隔
【図１】
0003658589.tif 000002
【図２】
0003658589.tif 000003
【図３】
0003658589.tif 000004
【図４】
0003658589.tif 000005
【図５】
0003658589.tif 000006
【図６】
0003658589.tif 000007
【図７】
0003658589.tif 000008
【図８】
0003658589.tif 000009